(57)【要約】【課題】新製品や新商品を、その商品分類別や発売日別に検索照会して、新製品や新商品の情報を提供する全ての製造・販売企業の新製品や新商品に亘って、一覧表示などの照会閲覧ができるようにした新発売品の検索照会サイトの開設にある。【解決手段】新発売品情報を提供する情報提供者側の情報処理端末機Ａと、該端末機Ａにて情報提供者より提供される新発売品の情報をその新発売品の情報提供者名（製造・販売者名）、商品分類名、商品名、発売日、商品の特徴、価格、購入方法などのうちいずれかの所定情報項目別にファイリングして登録する新発売品情報照会サイトのサーバＢと、新発売品の情報の提供を受ける消費者側の情報処理端末機ＣとをインターネットＮを介して接続し、情報処理端末機Ｃにて前記所定情報項目、又は商品分類名及び発売日を検索キーワードとしてサーバＢから新発売品情報を検索照会できるようにした。【選択図】図１
2005215827.tif 000002
【特許請求の範囲】
【請求項１】
新発売品情報を提供する情報提供者側の情報処理端末機Ａと、該端末機Ａにて情報提供者より提供される新発売品の情報をその新発売品の情報提供者名（製造・販売者名）、商品分類名、商品名、発売日、商品の特徴、価格、購入方法などのうちいずれかの所定情報項目別にファイリングして登録する新発売品情報照会サイトのサーバＢと、新発売品の情報の提供を受ける消費者側の情報処理端末機Ｃとをインターネット等のネットワークＮを介して接続し、情報処理端末機Ｃにて前記各々所定情報項目を検索キーワードとしてサーバＢから新発売品情報を検索照会できるようにしたことを特徴とする新発売品検索照会システム。
【請求項２】
新発売品情報を提供する情報提供者側の情報処理端末機Ａと、該端末機Ａにて情報提供者より提供される新発売品の情報をその新発売品の情報提供者名（製造・販売者名）、商品分類名、商品名、発売日、商品の特徴、価格、購入方法などのうちいずれかの所定情報項目別にファイリングして登録する新発売品情報照会サイトのサーバＢと、新発売品の情報の提供を受ける消費者側の情報処理端末機Ｃとをインターネット等のネットワークＮを介して接続し、情報処理端末機Ｃにて商品分類名及び発売日を検索キーワードとしてサーバＢから新発売品情報を検索照会できるようにしたことを特徴とする新発売品検索照会システム。
【請求項３】
請求項１又は２記載の新発売品検索照会システムにおいて、商品分類及び発売日を検索キーワードとして前記新発売品情報照会サイトのサーバＢから検索照会された新発売品の情報に関する詳細情報を、前記消費者側の情報処理端末機Ｃにて、情報提供者側の情報処理端末機Ａの詳細情報メモリ又は新発売品情報照会サイトのサーバＢから検索照会できるようにしたことを特徴とする新発売品検索照会システム。
【発明の詳細な説明】
【技術分野】
【０００１】
本発明は、製造・販売企業など情報提供者側から提供される新発売商品の情報を登録した新発売品情報照会サイトのサーバーからインターネット等のネットワークを介して、新発売商品の情報を希望する消費者側の検索照会により消費者側に配信紹介する機能を有する新発売品検索照会システムに関する。
【背景技術】
【０００２】
従来の新発売品検索照会システムとしては、個々の製造・販売企業が、自社の新製品情報に関するホームページやインターネットサイトを独自に開設し、そのホームページやサイトのサーバより、顧客や消費者（情報利用者、情報提供を受ける者）が、新製品を検索照会できるようにした製造・販売企業毎に開設した製品検索照会システムなどがある。
【０００３】
しかしながら、単独の製品検索照会サイトにより、新製品や新商品を、その商品分類別や発売日別に検索照会し、新製品や新商品の情報を提供する全ての製造・販売企業が発売する新製品や新商品を、一覧表示などにて照会閲覧できるような便利なシステムは無く、そのような新発売品を、情報を提供する全ての製造・販売企業にわたって検索照会できる新発売品の検索照会サイトの開設が望まれている。
【発明の開示】
【発明が解決しようとする課題】
【０００４】
本発明の課題は、新製品や新商品を、その商品分類別や発売日別に検索照会して、新製品や新商品の情報を提供する全ての製造・販売企業の新製品や新商品に亘って、一覧表示などの照会閲覧ができるようにした新発売品の検索照会サイトの開設にある。
【課題を解決するための手段】
【０００５】
本発明の請求項１に係る発明は、新発売品情報を提供する情報提供者側の情報処理端末機Ａと、該端末機Ａにて情報提供者より提供される新発売品の情報をその新発売品の情報提供者名（製造・販売者名）、商品分類名、商品名、発売日、商品の特徴、価格、購入方法などのうちいずれかの所定情報項目別にファイリングして登録する新発売品情報照会サイトのサーバＢと、新発売品の情報の提供を受ける消費者側の情報処理端末機Ｃとをインターネット等のネットワークＮを介して接続し、情報処理端末機Ｃにて前記各々所定情報項目を検索キーワードとしてサーバＢから新発売品情報を検索照会できるようにしたことを特徴とする新発売品検索照会システムである。
【０００６】
本発明の請求項２に係る発明は、新発売品情報を提供する情報提供者側の情報処理端末機Ａと、該端末機Ａにて情報提供者より提供される新発売品の情報をその新発売品の情報提供者名（製造・販売者名）、商品分類名、商品名、発売日、商品の特徴、価格、購入方法などのうちいずれかの所定情報項目別にファイリングして登録する新発売品情報照会サイトのサーバＢと、新発売品の情報の提供を受ける消費者側の情報処理端末機Ｃとをインターネット等のネットワークＮを介して接続し、情報処理端末機Ｃにて商品分類名及び発売日を検索キーワードとしてサーバＢから新発売品情報を検索照会できるようにしたことを特徴とする新発売品検索照会システムである。
【０００７】
本発明の請求項３に係る発明は、上記請求項１又は２に係る新発売品検索照会システムにおいて、商品分類及び発売日を検索キーワードとして前記新発売品情報照会サイトのサーバＢから検索照会された新発売品の情報に関する詳細情報を、前記消費者側の情報処理端末機Ｃにて、情報提供者側の情報処理端末機Ａの詳細情報メモリ又は新発売品情報照会
サイトのサーバＢから検索照会できるようにしたことを特徴とする新発売品検索照会システムである。
【発明の効果】
【０００８】
本発明の新発売品検索照会システムは、消費者側の情報処理端末機Ｃ（ネットワークに接続したパソコン、あるいはノートパソコン、携帯電話機など携帯端末機）にて、情報提供者名（製造・販売者名）、商品分類名、商品（製品）名、発売日、商品（製品）の特徴、価格、購入方法などのうちいずれかの所定の項目を検索キーワードとして、又は商品分類名及び発売日を検索キーワードとして、前記新発売品情報照会サイトのサーバＢから、新発売品の情報を提供する全ての製造・販売者の新発売品の情報のうち、検索キーワードに該当する所望の新発売品情報を１つの情報照会サイトによって容易に検索照会することがでる。
【０００９】
このように、製造・販売者の新製品や新商品を、商品分類名及び発売日など所定の項目を検索キーワードを用いて、商品分類別、発売日別にそれぞれ検索照会でき、新製品や新商品の情報を提供する全ての製造・販売企業の新製品や新商品に亘って、一覧表示などの照会閲覧ができる新発売品の検索照会サイトを開設することが可能となる。
【発明を実施するための最良の形態】
【００１０】
本発明の新発売品検索照会システムは、図１のシステムブロック図に示すように、新発売品の情報を提供する情報提供者側にパソコンなど情報処理端末機Ａ（パソコン、あるいはノートパソコン、携帯電話機など携帯端末機）を備え、該端末機Ａは電話回線によりインターネットＮ、又はその他のネットワークＮに接続しているものである。
【００１１】
新発売品の情報を提供する情報提供者としては、その新発売品を、開発、製造、販売する企業や、製造・販売業者などである。
【００１２】
そして、情報提供者側の情報処理端末機Ａと同一のインターネットなどのネットワークＮには、情報仲介者である新発売品情報照会サイトのサーバＢが接続していて、サーバＢは情報処理端末機Ａからの入力指令信号により動作するようになっている。
【００１３】
上記の情報処理端末機Ａは、新発売品情報照会サイトのサーバＢにアクセスでき、所定の情報提供者名、入力許可用の識別コードなどを入力して、サーバＢに対して新発売品の情報を入力するための許可を得ることができる。
【００１４】
情報提供者から提供される新発売品の情報は、インターネットを介して新発売品情報照会サイトのサーバＢに入力でき、サーバＢに搭載するメモリには、該サーバＢに搭載するファイリングプログラムに基づいて、その入力した新発売品の情報を、各新発売品の商品分類別及び発売日別にファイリングして登録することができる。
【００１５】
情報提供者から提供される新発売品の情報としては、例えば、情報提供者名（製造・販売者名）、新発売品の商品分類名、商品（製品）名、発売日、新発売品の写真画像や、イラストや、色調見本、商品（製品）に関する特徴など商品説明、価格、購入方法などである。
【００１６】
そして、情報提供者側の情報処理端末機Ａ、情報仲介者側の新発売品情報照会サイトのサーバＢと同一のインターネットなどネットワークＮには、新発売品の情報の提供を受ける消費者（ユーザー）側の情報処理端末機Ｃ（パソコン、あるいはノートパソコン、携帯電話機など携帯端末機）が接続していて、情報処理端末機Ｃは、新発売品情報照会サイトのサーバＢと情報提供者側の情報処理端末機Ａとの両方にアクセスして交信することがで
きるようになっている。
【００１７】
消費者（ユーザー）側の情報処理端末機Ｃは、所定の消費者名（ユーザー名）、アクセス許可用の識別コードなどを、サーバＢ又は／及び情報提供者側の情報処理端末機Ａに入力して、サーバＢ又は／及び情報提供者側の情報処理端末機Ａに対して、新発売品の情報を入手する入力指令のための許可を得ることができる。
【００１８】
新発売品の情報の提供を受ける消費者（ユーザー）は、パソコンなどの情報処理端末機Ｃを用いて、前記新発売品情報照会サイトのサーバＢに対して、所定の消費者名（ユーザー名）、アクセス許可用の識別コードなどを入力して入力指令の許可を得た後に、情報提供者名（製造・販売者名）、商品分類名、商品（製品）名、発売日、商品（製品）の特徴、価格、購入方法などのうちのいずれかの所定の項目を検索キーワードとして、又は商品分類名及び発売日を検索キーワードとして入力し、サーバＢから所望の新発売品の情報を検索照会し、情報処理端末機Ｃの出力表示部（ディスプレイやプリンタ）に、検索照会結果である所望の新発売品の情報を出力表示することができる。
【００１９】
本発明の新発売品検索照会システムにおける情報提供者側の情報処理端末機Ａによる新発売品情報照会サイトのサーバＢへの新発売品の情報提供（情報入力）について、図２〜図３に示すシステムフローチャートに基づいてその具体的実施例を以下に説明する。
【００２０】
＜ＳＴＥＰ１＞
新発売商品（製品）の製造・販売業者である新発売品情報の情報提供者は、情報提供者側にある情報処理端末機Ａ（インターネットに接続可能にしたパソコン）により、新発売品情報照会サイト（サーバＢ）のドメイン名などアドレスコード（メールコード）を入力して新発売品情報照会サイト（サーバＢ）にアクセスし、端末機Ａのディスプレイ画面上に新発売品情報照会サイトの入力メニューを出力表示する。
【００２１】
＜ＳＴＥＰ２＞
続いて、上記情報提供者は、表示された入力メニューのうち、情報入力許可用の記入欄に、予め取得している新発売品情報照会サイト（サーバＢ）のパスワードや提供者本人の会員コードを、新発売品情報照会サイトのサーバＢへ送信入力してアクセスし、新発売品の情報をサーバＢに入力するための許可を得る。なお、上記情報提供者が新規の提供者である場合には、表示された新発売品情報照会サイトの入力メニューの提供者会員入会申込欄に、提供者本人の名称（製造・販売業者名）、業種名（予め表示されている複数業種名の中から選択可）と、必要に応じて新発売商品の商品名などを入力して、新発売品情報照会サイト（サーバＢ）に返信し、新発売品情報照会サイト（サーバＢ）よりパスワードや提供者会員コードを受領する。上記提供者会員入会手続は、このようなオンラインによる入会手続以外に別途、書面による手続などオフラインによる入会手続で行うことも可能である。
【００２２】
＜ＳＴＥＰ３＞
上記情報提供者に対して新発売品情報照会サイト（サーバＢ）より新発売品の情報入力の許可が出ると、情報処理端末機Ａの画面上に新発売品情報の入力メニューには新発売品情報記入欄が表示される。
【００２３】
＜ＳＴＥＰ４＞
続いて、上記情報提供者は、新発売品の情報として、情報提供者名、新発売品の商品分類名（予め表示されている複数分類名の中から選択可）、商品（製品）名、発売日、新発売品の写真画像や、イラストや、色調見本、商品（製品）に関する特徴など商品説明、価格、購入方法などを、情報処理端末機Ａの新発売品情報記入欄に記入し、また適宜に入力
訂正してエンターキーにて確定し、該端末機ＡからサーバＢに送信入力する。
【００２４】
＜ＳＴＥＰ５＞
上記新発売品情報照会サイトの供給サーバＢでは、その新発売品の各情報の項目毎にファイリングフラッグを付与して、情報項目別のファイルとして新発売品情報照会サイトの供給サーバＢのメモリに記録し、登録する。
【００２５】
＜ＳＴＥＰ６＞
続いて、上記新発売品情報照会サイトの供給サーバＢでは、情報処理端末機Ａから送信入力されて記録登録される各々新発売品に関する新発売品情報を、予めサーバＢの情報処理制御部に搭載した商品分類別及び発売日別ファイリングプログラムに基づいて、商品分類毎及び発売日毎のファイリングフラッグを付与し、商品分類別及び発売日別のファイルとして再登録する。
【００２６】
＜ＳＴＥＰ７＞
他方、新発売品情報照会サイトの供給サーバＢに登録された各々新発売品情報については、その各々情報量に対応して算出した課金情報をサーバＢに必要に応じて記録登録し、その課金情報は、新発売品情報照会サイトにて管理し、サイトの運営管理情報として使用する。
【００２７】
次に本発明の新発売品検索照会システムにおける消費者（ユーザー）側の情報処理端末機Ｃによる新発売品情報照会サイトのサーバＢからの新発売品の情報入手について、図４〜図６に示すシステムフローチャートに基づいてその具体的実施例を以下に説明する。
【００２８】
＜ＳＴＥＰ１＞
新発売商品（製品）の情報利用者である消費者（ユーザー）側にある情報処理端末機Ｃ（インターネットに接続可能にしたパソコン）により、新発売品情報照会サイト（サーバＢ）のドメイン名などアドレスコード（メールコード）を入力して、新発売品情報照会サイト（サーバＢ）にアクセスし、該端末機Ｃのディスプレイ画面上に新発売品情報照会サイトの照会メニューを出力表示する。
【００２９】
＜ＳＴＥＰ２＞
続いて、上記消費者は、表示された照会メニューのうち、情報照会許可用の記入欄に、予め取得している新発売品情報照会サイト（サーバＢ）のパスワードや消費者本人の情報利用会員コードを、新発売品情報照会サイトのサーバＢへ送信入力してアクセスし、新発売品の情報をサーバＢから入手（利用）するための許可を得る。なお、上記消費者が新規の消費者である場合には、表示された新発売品情報照会サイトの照会メニューの情報利用者会員入会申込欄に、消費者本人の企業名など名称又は個人名と、住所、電話番号などと、必要に応じて、消費者本人の業種名（予め表示されている複数業種名の中から選択可）と、入手（利用）を希望する新発売商品の商品分類名（予め表示されている複数分類名の中から選択可）などを入力して、新発売品情報照会サイト（サーバＢ）に返信し、新発売品情報照会サイト（サーバＢ）より情報利用パスワードや情報利用会員コードを受領する。上記提供利用者会員入会手続は、このようなオンラインによる入会手続以外に、別途、書面による手続などオフラインによる入会手続で行うことも可能である。
【００３０】
＜ＳＴＥＰ３＞
上記消費者に対して新発売品情報照会サイト（サーバＢ）より新発売品の情報入手（利用）の許可が出ると、情報処理端末機Ｃの画面上の新発売品情報の照会メニューには新発売品情報の検索、照会をするための検索照会記入欄が表示される。
【００３１】
＜ＳＴＥＰ４＞
続いて、上記消費者は情報処理端末機Ｃの検索照会記入欄に、新発売品の情報を検索、照会するための検索キーワードとして、新発売品の製造・販売者名（情報提供者名）、新発売品の商品分類名、商品（製品）名、発売日、価格、購入方法（予め表示されている複数方法の中から選択可）などを記入し、また適宜に記入訂正してエンターキーにて確定した後、情報処理端末機ＣからサーバＢに送信入力する。
【００３２】
＜ＳＴＥＰ５＞
新発売品情報照会サイトの供給サーバＢでは、情報処理端末機Ｃから送信入力された検索キーワードに基づいて、各情報の項目毎にサーバＢにファイリング登録されている新発売品の情報の中から、当該検索キーワードに該当するファイルに登録されている新発売品情報を検索して、サーバＢから消費者側の情報処理端末機Ｃに送信する。
【００３３】
＜ＳＴＥＰ６＞
情報処理端末機Ｃでは、検索キーワードに基づいて新発売品情報照会サイトの供給サーバＢから送信される検索後の全ての新発売品情報が受信され、該端末機Ｃの出力表示部（ディスプレイ画面、プリンタなど）に出力表示されて消費者に照会される。
【００３４】
＜ＳＴＥＰ７＞
消費者は、情報処理端末機Ｃに出力表示され照会された各々新発売品情報の中から、必要とする情報をさらに絞り込む場合には、該端末機Ｃの検索照会記入欄に、希望する他の検索キーワード、又はＡＮＤ（ｘ）とＯＲ（＋）とを用いた検索キーワードを入力して、さらに絞り込み検索する。
【００３５】
＜ＳＴＥＰ８＞
新発売品情報照会サイトの供給サーバＢでは、情報処理端末機Ｃから送信入力された絞り込まれた検索キーワードに基づいて、各情報の項目毎にサーバＢにファイリング登録されている新発売品の情報の中から、当該検索キーワードに該当するファイルに登録されている新発売品情報を検索して、サーバＢから消費者側の情報処理端末機Ｃに送信する。
【００３６】
＜ＳＴＥＰ９＞
情報処理端末機Ｃでは、絞り込まれた検索キーワードに基づいて、新発売品情報照会サイトの供給サーバＢから送信される絞り込まれた新発売品情報が受信され、該端末機Ｃの出力表示部（ディスプレイ画面、プリンタなど）に出力表示され消費者に照会される。
【００３７】
＜ＳＴＥＰ１０＞
他方、新発売品情報照会サイトの供給サーバＢでは、該供給サーバＢから情報処理端末機Ｃに送信された新発売品情報の情報量（又は送信回数）に対応して算出した課金情報を必要に応じてサーバＢに記録登録し、その課金情報は、新発売品情報照会サイトにて管理し、該サイトの運営管理情報として使用する。
【００３８】
＜ＳＴＥＰ１１＞
消費者は、情報処理端末機Ｃに出力表示された絞り込まれた各々新発売品情報の中で、さらに詳細な情報を得たい新発売品がある場合には、照会メニュー中の詳細情報要否入力欄における「詳細情報要」を選択し、詳細な情報を得たい当該新発売品の「新発売品名」又はその「製造・販売者名」を入力して、該端末機ＣからサーバＢに送信指示する。
【００３９】
＜ＳＴＥＰ１２＞
新発売品情報照会サイトの供給サーバＢでは、搭載する情報処理制御部により、消費者側の情報処理端末機Ｃから送信された「詳細情報要」と、「新発売品名」又はその「製造
・販売者名」とによる指示信号に基づいて、供給サーバＢから「新発売品名」又はその「製造・販売者名」に該当する情報提供者を検索し、供給サーバＢと当該情報提供者側の情報処理端末機Ａとの交信のための接続動作を行う。
【００４０】
＜ＳＴＥＰ１３＞
供給サーバＢと交信接続した当該情報提供者側の情報処理端末機Ａは、当該情報提供者側の固有の新発売品詳細情報メモリＤから、当該新発売品名に相当する当該情報提供者側の固有の詳細情報を、供給サーバＢを介して消費者側の情報処理端末機Ｃに送信する。
【００４１】
＜ＳＴＥＰ１４＞
情報処理端末機Ｃでは、情報提供者側の情報処理端末機Ａから供給サーバＢを介して送信された詳細情報が受信され、該端末機Ｃの出力表示部（ディスプレイ画面、プリンタなど）に出力表示されて消費者に照会される。
【００４２】
＜ＳＴＥＰ１５＞
他方、新発売品情報照会サイトの供給サーバＢでは、情報提供者側の情報処理端末機Ａから該供給サーバＢを介して情報処理端末機Ｃに送信された新発売品情報の詳細情報量（又はその送信回数）に対応して算出した課金情報を必要に応じてサーバＢに記録登録し、その課金情報は、新発売品情報照会サイトにて管理し、該サイトの運営管理情報として使用する。
【図面の簡単な説明】
【００４３】
【図１】本発明の新発売品検索照会システムのシステムブロック図。
【図２】本発明の新発売品検索照会システムにおける新発売品情報提供者側の情報処理端末機Ａによる新発売品情報照会サイトのサーバＢへの新発売品の情報提供の手順を示すシステムフローチャート図。
【図３】本発明の新発売品検索照会システムにおける新発売品情報提供者側の情報処理端末機Ａによる新発売品情報照会サイトのサーバＢへの新発売品の情報提供の手順を示すシステムフローチャート図。
【図４】本発明の新発売品検索照会システムにおける消費者（ユーザー）側の情報処理端末機Ｃによる新発売品情報照会サイトのサーバＢからの新発売品の情報入手の手順を示すシステムフローチャート図。
【図５】本発明の新発売品検索照会システムにおける消費者（ユーザー）側の情報処理端末機Ｃによる新発売品情報照会サイトのサーバＢからの新発売品の情報入手の手順を示すシステムフローチャート図。
【図６】本発明の新発売品検索照会システムにおける消費者（ユーザー）側の情報処理端末機Ｃによる新発売品情報照会サイトのサーバＢからの新発売品の情報入手の手順を示すシステムフローチャート図。
【符号の説明】
【００４４】
Ａ…新発売品情報提供者側の情報処理端末機
Ｂ…新発売品情報照会サイトのサーバ
Ｃ…新発売品情報入手者側の情報処理端末機
Ｄ…新発売品情報提供者側の新発売品詳細情報メモリ
Ｎ…ネットワーク
【図１】
2005215827.tif 000003
【図２】
2005215827.tif 000004
【図３】
2005215827.tif 000005
【図４】
2005215827.tif 000006
【図５】
2005215827.tif 000007
【図６】
2005215827.tif 000008